(57)【要約】【課題】払掃部材の柄への取付構造が簡単で、且つその払掃部材の取り付けを確実に行うことができ、しかも払掃部材の交換を容易に行うことができる柄付き清掃具を得る。【解決手段】柄２に取り付ける払掃部材３を、柔軟な繊維束の中央部を緊締することにより、該中央部が括れて両端部で繊維束が拡散した形をなすように形成し、上記柄２の先端に、前方に向けて二股状に延出する一対の挟持アーム６，６を設けると共に、各挟持アーム６，６の先端部内側に係止用の突起６ｂ、６ｂを設け、これら一対の挟持アーム６，６間に上記払掃部材３の中央の括れ部３ａを弾力的に挟持させ、上記突起６ｂ、６ｂに払掃部材３を係止させることにより、該払掃部材３を柄２に抜止状態で取り付ける。【選択図】図１
2008055106.tif 000002
【特許請求の範囲】
【請求項１】
握持用の柄と、該柄の先端に着脱自在に取り付けられた払掃部材とを備え、
上記払掃部材は、柔軟な繊維束の中央部を緊締することにより、該中央部が括れて両端部で繊維束が拡散した形をなすように形成され、
上記柄は、前方に向けて二股状に延出する一対の挟持アームを先端に有すると共に、各挟持アームの先端部内側に係止用の突起を有していて、これら一対の挟持アーム間に上記払掃部材の中央の括れ部を弾力的に挟持させると共に、上記突起を該払掃部材に係止させることにより、該払掃部材が柄に抜止状態で取り付けられている、
ことを特徴とする柄付き清掃具。
【請求項２】
上記一対の挟持アームが、柄の先端の互いに相対する位置に対称に配設されていて、外に向けて凸状の形に湾曲しており、また、各挟持アームの先端を斜め内側を向く傾斜面とすることにより、両挟持アームの先端部間に、上記払掃部材を押し込むための先広がり状をした空間部を有することを特徴とする請求項１に記載の柄付き清掃具。
【請求項３】
上記傾斜面の延長上に上記係止用の突起が形成されていることを特徴とする請求項２に記載の柄付き清掃具。
【発明の詳細な説明】
【技術分野】
【０００１】
本発明は、例えばパーソナルコンピューターのキーボードやモニター等の各所に付着した塵埃を払掃するのに使用される柄付きの清掃具に関するものである。
【背景技術】
【０００２】
この種の柄付き清掃具としては、握持用の柄の先端に、清掃対象部位を払掃する払掃部材が固定的に取り付けられたハタキ状のものやブラシ状のもの、あるいは払掃部材が略球状に形成されたもの等が知られている。これらのタイプのものは、払掃部材が交換できないため、清掃によって払掃部材が汚れた場合にはその払掃部材に着いた塵埃をいちいち取り除くか、または清掃具全体を交換する必要があり、何かと不便であった。
そこで、払掃部材が柄の先端に着脱自在に取り付けられて、汚れた場合には該払掃部材を交換できるものが望ましいが、その払掃部材の取り付けにあたっては、製造面や取り扱い易さの面から、取付構造が簡単でありながら確実に取り付けることができ、しかも交換作業が容易であることが求められている。
【発明の開示】
【発明が解決しようとする課題】
【０００３】
本発明の課題は、払掃部材の柄への取付構造が簡単であると共に、その払掃部材の取り付けを確実に行うことができ、しかも払掃部材の交換を容易に行うことができる柄付き清掃具を提供することにある。
【課題を解決するための手段】
【０００４】
上記課題を解決するため本発明の柄付き清掃具は、握持用の柄と、該柄の先端に着脱自在に取り付けられた払掃部材とを備え、上記払掃部材は、柔軟な繊維束の中央部を緊締することにより、該中央部が括れて両端部で繊維束が拡散した形をなすように形成され、上記柄は、前方に向けて二股状に延出する一対の挟持アームを先端に有すると共に、各挟持アームの先端部内側に係止用の突起を有していて、これら一対の挟持アーム間に上記払掃部材の中央の括れ部を弾力的に挟持させると共に、上記突起を該払掃部材に係止させることにより、該払掃部材が柄に抜止状態で取り付けられていることを特徴とするものである。
【０００５】
本発明においては、上記一対の挟持アームが、柄の先端の互いに相対する位置に対称に配設されていて、外に向けて凸状の形に湾曲しており、また、各挟持アームの先端を斜め内側を向く傾斜面とすることにより、両挟持アームの先端部間に、上記払掃部材を押し込むための先広がり状をした空間部を有するものとすることができる。また、この場合、上記傾斜面の延長上に上記係止用の突起が形成されていることを特徴とする請求項２に記載の柄付き清掃具。
【発明の効果】
【０００６】
本発明の柄付き清掃具によれば、柄と払掃部材との連結を、柄の先端に二股状に延出する一対の挟持アーム間に、払掃部材の中央部の括れ部を弾性的に挟持させるという単純な構成によって行うことができ、また、各挟持アームの先端部内側の係止用の突起によって払掃部材の挟持アーム間からの抜脱を防止するため、払掃部材を柄に確実に取り付けることができる。さらに、払掃部材の交換は、括れ部を上記挟持アーム間から抜き挿しするだけで取り付け・取り外しができ、容易である。
【発明を実施するための最良の形態】
【０００７】
図１〜図５は本発明に係る柄付き清掃具の一実施例を示すもので、この実施例の清掃具１は、握持用の柄２と、該柄２の先端に着脱自在に取り付けられた払掃部材３とを有している。
【０００８】
上記払掃部材３は、図５に示すように、中央部が括れ且つ両端部で繊維端が拡散した形に形成された全体として略球状のもので、該中央部の括れ部３ａが上記柄２の先端に連結されている。
この払掃部材３は、複数のフィラメントを揃えてなる柔軟な繊維束を不織布製の基布に固定した上で、図４に示すように、それらの繊維束及び基布を束ねて中央部（図４中、一点鎖線であらわした位置）を上記括れ部３ａが形成されるように緊締（この実施例の場合、図５に示すように、紐４で縛っている。）すると共に、該中央部から一定の長さの両側部分で切断し、繊維をほぐすことにより起毛状態にしてボリュームを保持させている。したがって、この払掃部材３は、繊維の解繊によって勝れた弾力性と柔軟性を発揮するため、清掃対象部位の形状に適応しながら変形し、しかもその起毛した繊維が狭い部分まで入り込んで塵埃を確実に絡め取るため、複雑な形状をした部位であっても隅々まで清掃を行うことができる。
なお、上記払掃部材３は、上記括れ部３ａにおいても若干の弾力性を有していて、後述する一対の挟持アーム５，５間に挟持させるに際しては、この括れ部３ａが弾力的に変形・縮小してこれらの挟持アーム５，５間に押し込み易くなっている。
【０００９】
上記柄２は、全体として棒状に形成されたもので、図１及び図２に示すように、丸棒条をした本体部２ａと、基端側に設けられた扁平で本体部２ａより幅広の操作用の握持部５と、上記本体部２ａの先端に設けられた、上記払掃部材３を取り付けるための一対の挟持用アーム６，６とを一体に備えている。
この柄２は、適度な弾性と剛性を有する合成樹脂により形成されていて、使用者が払掃部材を清掃対象部位に押し付けた際には全体が適度に撓み、払掃部材３に使用者の力を適度に伝えながらもソフトなタッチが得られるようになっている。
【００１０】
上記一対の挟持アーム６，６は、図３に示すように、上記本体部２ａの前方、即ち上記握持部５とは反対側の方向に向けて二股状に延出したもので、柄の先端の互いに相対する位置に対称に配設され、外に向けて凸の形に湾曲している。そして、これらの挟持アーム６，６が弾力的に撓むことにより両挟持アーム６，６の間が拡大して、これらの挟持アーム間に上記払掃部材３の括れ部３ａを押し込み、あるいは引き抜くことができ、元の位置に復帰することにより該括れ部３ａを弾力的に挟持することができるように構成されている。この実施例においては、上記挟持アーム６，６間に、上記払掃部材３の括れ部３ａに適応した大きさの空間７が形成されており、括れ部３ａをこの空間７内に収容した状態で挟持することにより、払掃部材３をより安定的に保持できるようにしている。
なお、この実施例の挟持アーム６，６は、図３から分かるように、各挟持アーム６の基端部分を他の部分に比べて若干幅狭とし、各挟持アーム６がこの基端部分で撓み易くしており、これによって両挟持アーム６，６の先端間の幅が弾性的に拡縮し易くしている。また、各挟持アーム６は、上記柄２の本体部２ａの径より厚みが小さい断面略矩形状としている。
【００１１】
上記各挟持アーム６，６の先端は、それぞれ斜め内側を向く傾斜面６ａ，６ａとなっていて、両挟持アーム６，６の先端部間に上記払掃部材３を押し込むための先広がり状をした空間８が形成されており、これによって該払掃部材３の括れ部３ａを挟持アームの間の空間７内に押し込み易くしている。なお、図３から分かるように、上記傾斜面６ａは、他方の挟持アームの傾斜面側に凸となる緩やかな湾曲面となっている。
【００１２】
さらに、上記各挟持アーム６，６の先端部内側には、両挟持アーム６，６間に挟持した払掃部材３の抜止めとして機能する係止用の突起６ｂ，６ｂがそれぞれ形成されている。  この突起６ｂは、図３に示すように、上記各挟持アーム６の傾斜面６ａの延長状、即ち、該傾斜面６ａが内側に延出する位置に形成され、挟持アーム６，９が挟持した払掃部材３の括れ部３ａに食い込むように位置して該払掃部材３を抜止め状態に係止している。
【００１３】
上記構成を有する柄付き清掃具は、払掃部材３の括れ部３ａを一対の挟持アーム６，６間に押し込むことによりこれら一対の挟持アーム６，６に払掃部材を弾性的に挟持させ、柄２を手で握って清掃体操部位の払掃を行う。一方、清掃により払掃部材３が汚れた場合には、該括れ部３ａを挟持アーム６，６を撓ませながら引き抜き、交換する。
このとき、柄２と払掃部材３との連結は、柄２の先端に設けた二股状の一対の挟持アーム６，６間に、払掃部材３の括れ部３ａを弾性的に挟持させるだけであるため、これら払掃部材３の柄２への取付構造はきわめて簡単である。さらに、払掃部材３の柄２への取り外し・取り付けは、払掃部材３の括れ部３ｂを、挟持アーム６，６を撓ませながらこれらの挟持アーム６，６間から抜き挿しするだけで行うことができるため、交換作業はきわめて容易である。その一方で、各挟持アーム６，６の先端部内側の突起６ｂ，６ｂが、払掃部材３の括れ部３ａに食い込んで挟持アーム６，６間から抜け落ちないよう係止するため、取付構造が単純でありながら該払掃部材３を柄に確実に取り付けることができる。
【００１４】
上記実施例においては、上記払掃部材３は、繊維束の中央部を紐４で縛って緊締することにより形成された構成となっているが、この繊維束を緊締する手段は、中央部に上記括れ部３ａが形成されるものであれば、例えば繊維束の中央部を金具で縛ったり、接着したりするなど、適当な手段を用いることができる。
また、この実施例では、上記払掃部材３を全体として略球状に形成しているが、この払掃部材３の形状は、柔軟な繊維束の中央部を各種手段で緊締することにより、該中央部が括れて両端部で繊維束が拡散した形であれば球状以外の形状であってよい。  
【図面の簡単な説明】
【００１５】
【図１】本発明に係る柄付き清掃具の一実施例を示す正面図である。
【図２】同側面図である。
【図３】柄の挟持アーム部分の要部拡大図である。
【図４】払掃部材の作成の過程において、繊維束の中央部を緊締する前の状態を概略的に示す説明図である。
【図５】払掃部材を概略的に示す一部断面図である。
【符号の説明】
【００１６】
１  柄付き清掃具
２  柄
３  払掃部材
３ａ  括れ部
６  挟持アーム
６ａ  傾斜面
６ｂ  突起
８  空間
【図１】
2008055106.tif 000003
【図２】
2008055106.tif 000004
【図３】
2008055106.tif 000005
【図４】
2008055106.tif 000006
【図５】
2008055106.tif 000007